(57)【要約】【課題】  冬場の浴室におけるヒートショックを緩和し快適な入浴環境と省エネ対策を提供する。【解決手段】  断熱性、耐水性、抗菌性、防汚性に優れた軽量な発泡性の樹脂系材質からなる化粧断熱材を、浴室の既天井面や既壁面全体に直貼りし、冬場の底冷えの原因である輻射熱を断熱すると共に、浴槽から漏れる熱で浴室内を保温する。【選択図】図１４
0003137287.tif 000002
【実用新案登録請求の範囲】
【請求項１】
断熱性、耐水性、抗菌性、防汚性に優れた軽量な発泡性の樹脂系材質からなり、カッターナイフやハサミで簡単に切る事ができ、両面テープや接着剤を用いて既天井面や既壁面に直貼りできる事を特長とする、表面に木目や風景写真などが印刷された軟質な化粧断熱材。
【請求項２】
断熱性、耐水性、抗菌性、防汚性に優れた軽量な発泡性の樹脂系材質からなり、丸ノコやジグソー等を用いて切断する事ができ、両面テープや接着剤、専用のクリップを用いて既天井面や既壁面に直貼りできる事を特長とする、表面に木目や風景写真などが印刷された硬質な化粧断熱材。
【考案の詳細な説明】
【技術分野】
【０００１】  本考案は、断熱性、耐水性、抗菌性、防汚性に優れた軽量な発泡性の樹脂系材質からなる化粧断熱材を、浴室の既天井面や既壁面全体に直貼りし、快適な入浴環境と省エネ対策を提供する事に関するものである。
【背景技術】
【０００２】  在来工法による浴室の施工においてはタイル貼り仕上が一般的であるが、冬場の底冷えを解消する有効な対策が無く、また、浴槽に溜めたお湯も冷めやすい。
【考案の開示】
【考案が解決しようとする課題】
【０００３】  冬場の浴室におけるヒートショックを緩和し快適な入浴環境と省エネ対策を提供する。
【課題を解決するための手段】
【０００４】  浴室の既天井面や既壁面全体に、断熱性、耐水性、抗菌性、防汚性に優れた軽量な発泡性の樹脂系材質からなる化粧断熱材を直貼りし、また、窓がある場合は透明な樹脂性の板を両面テープを用いてガラス面に固定し、周りを透明なコーキング剤で処理する。【０００５】  銘木の木目や風景写真などを印刷した化粧断熱材を天井面や壁面全体に貼る事によって空間を演出する。
【考案の効果】
【０００６】  冬場の底冷えの原因である輻射熱の断熱と浴室全体の保温性を向上する事で温度差によるヒートショックを緩和できる。【０００７】  空間を演出する事により、心身共にリラックスした状態で入浴を楽しむ事ができる。
【実施例１】
【０００８】  請求項１記載の軟質の化粧断熱材は、カッターナイフやハサミで簡単に切ることができるので一般向きである。【０００９】  まず、浴室全体を十分に乾燥し水栓類や鏡、シャワー用フック、照明、換気扇の化粧プレート等、取外せるものはできるだけ外す。【００１０】  次に、入隅や出隅等のコーナー部分の役物類から両面テープで固定する。【００１１】  役物類を全て固定したら壁と天井部分の平物を貼る。栓類や鏡、シャワー用フック等を固定するアンカー穴の位置は、虫ピンやマジックを使用して平物を貼る際にマーキングしておく。【００１２】  天井と壁の平物を貼り終えたら全ての継ぎ目部分を専用の化粧テープで防水処理する。【００１３】  壁と天井の境目部分に専用の廻り縁を貼り付ける。【００１４】  水栓類や鏡、シャワー用フック、照明、換気扇の化粧プレート等を元の位置に取付ける。【００１５】  最後に、取付けた器具廻りの防水処理をコーキング剤で行い作業を終了する。
【実施例２】
【００１６】  請求項２記載の硬質の化粧断熱材は、丸ノコやジグソー等を用いて切断するので業者またはベテラン向きである。【００１７】  まず、浴室全体を十分に乾燥し水栓類や鏡、シャワー用フック、照明、換気扇の化粧プレート等、取外せるものは全て外す。【００１８】  次に、天井及び壁面全体に化粧断熱材を割り付ける為の墨出しを行い、専用クリップを固定する。【００１９】  入隅や出隅等のコーナー部分の役物類の裏面に両面テープを貼り、両端を専用クリップに差し込み、両面テープを貼り付けた部分を表面から均等な圧力で押し付け圧着する。【００２０】  水栓類や鏡、シャワー用フック、照明、換気扇等を固定するアンカー穴にセンターマーカーをネジ込み、平物を強く押し付けて穴の位置を正確に写し取る。【００２１】  ドリルを使用し穴を開ける。【００２２】  平物の裏面に両面テープを貼り、両端を専用クリップに差し込み、両面テープを貼り付けた部分を表面から均等な圧力で押し付け圧着する。【００２３】  専用クリップに差し込んだ化粧断熱材どうしの隙間に専用の防水目地棒を押し込み、専用クリップに化粧断熱材を固定する。【００２４】  水栓類や鏡、シャワー用フック、照明、換気扇等を元の位置に取付ける。【００２５】  天井と壁の境目部分や器具廻りの防水箇所をマスキングテープで養生し、コーキング剤で処理して作業を終了する。
【図面の簡単な説明】
【００２６】
【図１】断熱材の正面図
【図２】軟質系化粧断熱材の平物の断面図
【図３】軟質系化粧断熱材の入隅役物の断面図
【図４】軟質系化粧断熱材の出隅役物の断面図
【図５】軟質系化粧断熱材の廻り縁役物の断面図
【図６】硬質系化粧断熱材の平物の断面図
【図７】硬質系化粧断熱材の入隅役物の断面図
【図８】硬質系化粧断熱材の出隅役物の断面図
【図９】硬質系化粧断熱材取付け専用クリップの断面図
【図１０】硬質系化粧断熱材専用の防水目地棒の姿図
【図１１】センターマーカーの姿図
【図１２】コーナー用見切棒の断面図
【図１３】ボトムライン用見切棒の断面図
【図１４】硬質系の化粧断熱材を既天井面および既壁面に取付けた状態の部分断面図
【図１５】硬質系の入隅部分を上部から見た断面図
【図１６】硬質系の出隅部分を上部から見た断面図
【符号の説明】
【００２７】  ａ  硬質系化粧断熱材（平物）の断面
ｂ  硬質系化粧断熱材（入隅役物）の断面
ｃ  硬質系化粧断熱材（出隅役物）の断面
１  化粧断熱材の化粧面
２  両面テープ
３  軟質系断熱材
４  専用クリップの取り付け溝
５  ステンレスビス
６  専用クリップ本体（樹脂製）
７  防水目地棒（ゴム系）
８  センターマーカー（ビス穴用）
９  センターマーカー（Ｍ４用）
１０  センターマーカー（水栓用１／２）
１１  コーナー用見切棒本体
１２  取付け用ビス穴
１３  化粧断熱材差込部分
１４  ボトムライン用見切棒本体
１５  バックアップ材
１６  コーキング剤
【図１】
0003137287.tif 000003
【図２】
0003137287.tif 000004
【図３】
0003137287.tif 000005
【図４】
0003137287.tif 000006
【図５】
0003137287.tif 000007
【図６】
0003137287.tif 000008
【図７】
0003137287.tif 000009
【図８】
0003137287.tif 000010
【図９】
0003137287.tif 000011
【図１０】
0003137287.tif 000012
【図１１】
0003137287.tif 000013
【図１２】
0003137287.tif 000014
【図１３】
0003137287.tif 000015
【図１４】
0003137287.tif 000016
【図１５】
0003137287.tif 000017
【図１６】
0003137287.tif 000018
【手続補正書】
【提出日】平成19年8月16日(2007.8.16)
【手続補正１】
【補正対象書類名】実用新案登録請求の範囲
【補正対象項目名】全文
【補正方法】変更
【補正の内容】
【実用新案登録請求の範囲】
【請求項１】
断熱性、耐水性に優れた軟質系の発泡性の単一な薄板材を母材として、表面には撥水性、防汚性、抗菌性に優れたフイルムに銘木の木目や風景写真を印刷したものを貼り、裏面には既設壁面に貼り付けるための接着テープが貼られた軟質な化粧断熱材。
【請求項２】
断熱性、耐水性に優れた硬質系の発泡性の単一な薄板材を母材として、表面には撥水性、防汚性、抗菌性に優れたフイルムに銘木の木目や風景写真を印刷したものを貼り、裏面には既設壁面に貼り付けるための接着テープが貼られた硬質な化粧断熱材であって、請求項１記載の軟質な化粧断熱材の硬質タイプ。